(57)【要約】【課題】細径化が可能で可搬性に優れ、検査状況や検査目的に応じて所望する画素数や画素構成で観察を行える電子内視鏡を提供すること。【解決手段】電子内視鏡１０は、撮像素子としてＣ−ＭＯＳイメージセンサ２４を備え、照明部２２として照明用ＬＥＤ２２ａを備えた撮像アダプタ２ａと、この撮像アダプタ２ａが先端部に着脱自在で、Ｃ−ＭＯＳ２４及び照明用ＬＥＤ２２ａに電源を供給する電気ケーブル３１，３２，３３を内挿した挿入部３と、この挿入部３の基端部に配置され、少なくともＣ−ＭＯＳ２４から出力されて電気ケーブル３３を伝送された映像信号を表示手段に出力するための映像出力端子部４２及び照明用ＬＥＤ２２ａに供給する電流値を制限するための電流制限回路４３を備えた操作部４とで構成されている。【選択図】図４
2005066356.tif 000002
【特許請求の範囲】
【請求項１】
少なくとも撮像素子としてＣ−ＭＯＳイメージセンサを備え、照明部として照明用ＬＥＤを備えた撮像アダプタと、
この撮像アダプタが先端に着脱自在で、前記Ｃ−ＭＯＳイメージセンサ及び前記照明用ＬＥＤにそれぞれ接続する電気ケーブルを内挿した挿入部と、
前記撮像アダプタが一体的に配置され、照明部としての照明用ＬＥＤ及びこの照明用ＬＥＤに供給する電流値を制限するための電流制限回路を有する、前記挿入部の先端部に着脱自在で該先端部を所定の位置に位置決めするセンタリングデバイスと、
を具備することを特徴とする電子内視鏡。
【発明の詳細な説明】
【技術分野】
【０００１】
本発明は、撮像素子及び光源部をアダプタに備え、このアダプタを挿入部の先端部に装着して構成される電子内視鏡に関する。
【背景技術】
【０００２】
近年、体腔内に細長の挿入部を挿入することにより、体腔内臓器等を観察したり、必要に応じ処置具チャンネル内に挿通した処置具を用いて各種治療処置のできる内視鏡が広く利用されている。また、工業用分野においても、ボイラ、タービン、エンジン、化学プラント等の内部の傷、腐食等の観察、検査に工業用内視鏡が広く用いられている。
【０００３】
上述のように使用される内視鏡には挿入部の先端部に光学像を画像信号に光電変換するＣＣＤなどの撮像素子を配設した電子内視鏡（以下内視鏡と略記する）がある。この内視鏡では、前記撮像素子に結像した観察像の画像信号を外部装置であるカメラコントロールユニット（以下ＣＣＵと略記する）の信号処理部に伝達して映像信号を生成し、モニタ画面上に内視鏡画像を表示させて観察を行う構成になっていた。
【０００４】
近年、医療現場で用いられる内視鏡は、内視鏡医学の発展に伴い、観察部位が複雑多岐に渡り、観察部位に対応した画素構成（例えばピクセルサイズの違いやＮＴＳＣ・ＰＡＬの違い等）の撮像素子を設けた内視鏡が求められている。一方、工業用の内視鏡でも、観察対象となる配管等の径寸法が太いものから細いものまで様々あるので、径寸法の違いや検査目的に対応させるため内視鏡先端部に交換可能に取り付ける光学アダプタを種々用意して様々な検査に対応するようにしていた。
【０００５】
しかし、従来の内視鏡装置では、撮像素子の駆動回路及び信号処理回路が固定化されていたため、同一品種の同一仕様の撮像素子を用いた内視鏡しか使用することができないという欠点があった。つまり、ＣＣＤの画素構成が異なる内視鏡や、挿入部長さの異なる内視鏡をＣＣＵに接続した場合、ＣＣＤから伝送される画像信号から所望する内視鏡画像をモニタ画面上に表示させることができなかった。
【０００６】
この欠点を解消するため、例えば特開昭６３−２６０５２７号公報には異なる種類の内視鏡に対応した複数のＣＣＵを用意し、これら複数のＣＣＵをビデオプロセス装置内に交換可能に取り付けることにより、異なる電子スコープを使用できるようにした内視鏡装置が示されている。しかし、既存の内視鏡装置、すなわち、ビデオプロセス装置がＣＣＵを交換するようになされていないタイプのものには適応することができず、また、ＣＣＵを交換可能にすることによってビデオプロセス装置が大型化するという問題があった。
【０００７】
この問題を解決するため、特開平５−１７６８８２号公報には異なる種類の撮像素子を備えた複数の内視鏡を、異なる種類の撮像素子の少なくとも１つに対応したＣＣＵに接続して使用できる内視鏡システムが示されている。また、特開平７−３６０号公報には撮像方式が異なる撮像素子を備えたプローブに対し、１台のＣＣＵで対応できる低コスト化を図った撮像システムが示されている。
【０００８】
さらに、挿入部長の違いや、修理・調整等によって内視鏡挿入部内を挿通する信号ケーブルの長さが短くなることによって最適な内視鏡画像の表示ができなくなることを防止するため、ＣＣＵに挿入部長やケーブル長の変化に対応させるケーブル長補正手段を設けたものもある。
【特許文献１】特開昭６３−２６０５２７号公報
【特許文献２】特開平５−１７６８８２号公報
【特許文献３】特開平７−３６０号公報
【発明の開示】
【発明が解決しようとする課題】
【０００９】
しかしながら、前記ケーブル長補正手段を設けたり、前記特開平５−１７６８８２号公報の内視鏡システム及び特開平７−３６０号公報の撮像システムのように先端部に設けたＣＣＤの違いに対応させることにより、ＣＣＵの構成が複雑になって、高価になるばかりでなく、大型化することによって、特に可搬性の望まれる工業用内視鏡では大きな問題になっていた。
【００１０】
また、装置構成を大型化させることなく、検査途中に画素数の変更或いは画素構成の変更を行って検査を行える内視鏡装置が要望されていた。
【００１１】
本発明は上記事情に鑑みてなされたものであり、細径化が可能で可搬性に優れ、検査状況や検査目的に応じて所望する画素数や画素構成で観察を行える電子内視鏡を提供することを目的にしている。
【課題を解決するための手段】
【００１２】
本発明の電子内視鏡は、少なくとも撮像素子としてＣ−ＭＯＳイメージセンサを備え、照明部として照明用ＬＥＤを備えた撮像アダプタと、この撮像アダプタが先端に着脱自在で、前記Ｃ−ＭＯＳイメージセンサ及び前記照明用ＬＥＤにそれぞれ接続する電気ケーブルを内挿した挿入部と、前記撮像アダプタが一体的に配置され、照明部としての照明用ＬＥＤ及びこの照明用ＬＥＤに供給する電流値を制限するための電流制限回路を有する、前記挿入部の先端部に着脱自在で該先端部を所定の位置に位置決めするセンタリングデバイスとを具備している。
【００１３】
この構成によれば、挿入部の先端部に、検査状況や検査目的に応じて撮像アダプタを、直接、或いはセンタリングデバイスを介して選択的に取り付けることによって、モニタ画面上に所望する内視鏡画像を得て最適な観察等を行える。また、電流制限回路を先端リングデバイスに設けることによって、操作部の簡素化を図れる。
【発明の効果】
【００１４】
本発明によれば、細径化が可能で可搬性に優れ、検査状況や検査目的に応じて所望する画素数や画素構成で観察を行える電子内視鏡を提供することができる。  
【発明を実施するための最良の形態】
【００１５】
以下、図面を参照して本発明の実施の形態を説明する。  
図１ないし図８は本発明の一実施形態に係り、図１は本発明の電子内視鏡を備えた電子内視鏡装置の構成を説明する図、図２は撮像アダプタの各種構成例を説明する図、図３は電子内視鏡の構成例を説明する図、図４は電子内視鏡の構成を説明するブロック図、図５は電子内視鏡の他の構成例を説明する図、図６は電子内視鏡の別の構成例を説明する図、図７は電子内視鏡のまた他の構成例を説明する図、図８は図３で示した電子内視鏡の挿入部長を延長させたときの構成例を説明する図である。なお、図２（ａ）は撮像アダプタの第１の構成例を説明する図、図２（ｂ）は撮像アダプタの第２の構成例を説明する図、図２（ｃ）は撮像アダプタの第３の構成例を説明する図である。また、本実施形態では電子内視鏡を工業用の内視鏡として説明する。
【００１６】
図１に示すように本実施形態の内視鏡装置１は、後述する照明用ＬＥＤ及び撮像素子としてＣ−ＭＯＳ(相補型金属酸化膜半導体：Complementary Metal-Oxide Semiconductor の略称)イメージセンサを内蔵した検査状況や検査目的に応じて構成の異なる複数種類の撮像アダプタ２を挿入部３の先端部に着脱自在に配置可能な電子内視鏡（以下内視鏡と略記する）１０と、この内視鏡１０の把持部を兼ねる操作部４から延出するビデオケーブル１１に接続された表示手段である例えばＣＲＴモニタ等の表示装置１２とで主に構成されている。
【００１７】
前記Ｃ−ＭＯＳは、高密度化に適し、小さな電力で動作するのが特徴であり、このＣ−ＭＯＳには例えば駆動信号発生部やノイズ低減回路、出力信号レベル安定化回路、Ａ／Ｄコンバータ等、カメラとしての機能を全て搭載しており、このＣ−ＭＯＳ（図２符号２４参照）を配置した本実施形態の撮像アダプタ２からは表示装置１２に向けて映像信号が出力される。そして、前記Ｃ−ＭＯＳ２４は、前記操作部４内に設けた乾電池或いは充電池等の電池（図３又は図４の符号４１参照）によって駆動される。なお、符号１５は後述する挿入部長を延長する際に使用する挿入部延長部材である。
【００１８】
前記撮像アダプタ２としては、例えば図２（ａ），（ｂ），（ｃ）に示すようなタイプのものがある。  
図２（ａ）に示す撮像アダプタ２ａは、先端側２１に観察部位を照明する複数のＬＥＤを配置して構成した照明部２２と、この照明部２２から出射された照明光によって照らされた観察部位の観察像を撮像するＣ−ＭＯＳイメージセンサ（以下Ｃ−ＭＯＳと略記する）２４とを備え、この撮像アダプタ２の外面である例えば基端面２５には電気的接続部としてアダプタ側第１ＬＥＤ接続部２６及びアダプタ側Ｃ−ＭＯＳ接続部２７とを設けて構成されている。なお、前記Ｃ−ＭＯＳ２４の前面には観察像を撮像面に結像させるための対物レンズ２３が配置されている。
【００１９】
図２（ｂ）に示す撮像アダプタ２ｂは、Ｃ−ＭＯＳ２４を挟んで照明部２２Ａを配置した構成であり、前記撮像アダプタ２ａに比べて照明光量を増大させたものであり、前記Ｃ−ＭＯＳ２４を挟んで照明部２２Ａを設けたことにより外形寸法が前記撮像アダプタ２ａより大形になっている。
【００２０】
図２（ｃ）に示す撮像アダプタ２ｃは、前記撮像アダプタ２ｂを増灯用照明部２２Ｂを設けたセンタリングデバイス２８に一体的に配置して構成したものである。この構成にすることによって照明光量がさらに増大する。
【００２１】
なお、撮像アダプタ２の構成は上述の他にそれぞれのＣ−ＭＯＳ２４の画素数が異なるものや画素構成が異なるもの等も用意されている。
【００２２】
また、前記撮像アダプタ２ａ，２ｂ，２ｃ…に設けられるアダプタ側Ｃ−ＭＯＳ接続部２７の設置位置はどのアダプタ２ａ，２ｂ，２ｃ…についても中心位置から同位置である。これに対してアダプタ側ＬＥＤ接続部２６，２６ａ，２６ｂの設置位置は照明部２２，２２Ａ，２２Ｂ毎にそれぞれ設置位置が決まっている。
【００２３】
さらに、前記撮像アダプタ２ｃはセンタリングデバイス２８が挿入部３に着脱自在である。
【００２４】
又、図示は省略するが前記撮像アダプタ２と挿入部３とは例えばネジ等の固定手段によって着脱自在に連結固定されるようになっている。
【００２５】
図３及び図４を参照して電子内視鏡１０の構成を説明する。  
図３及び図４に示すように電子内視鏡１０は、例えば撮像アダプタ２ａを挿入部３の先端面に連結固定して構成されている。
【００２６】
前記挿入部３の先端面側には前記撮像アダプタ２ａの基端面２５に設けられているアダプタ側第１ＬＥＤ接続部２６及びアダプタ側Ｃ−ＭＯＳ接続部２７にそれぞれ電気的に接続される挿入部側第１ＬＥＤ接続部３６及び挿入部側Ｃ−ＭＯＳ接続部３７が設けられており、これら接続部３６，３７が前記撮像アダプタ２ａの接続部２６，２７に電気的に導通している。
【００２７】
前記挿入部３内には前記挿入部側Ｃ−ＭＯＳ接続部３７と操作部４内に設けられている電源部である電池４１とを電気的に接続して前記Ｃ−ＭＯＳ２４に駆動電源を供給する電気ケーブルである駆動ケーブル３１と、前記挿入部側第１ＬＥＤ接続部３６と前記電池４１とを電気的に接続して前記照明部２２を構成する１つ又は複数の照明用ＬＥＤ２２ａに照明用電源を供給する電気ケーブルである照明用ケーブル３２と、前記挿入部側Ｃ−ＭＯＳ接続部３７から延出して前記Ｃ−ＭＯＳ２４で生成された映像信号を後述する映像出力端子部に向けて伝送する電気ケーブルである信号伝送ケーブル３３とが挿通している。
【００２８】
前記操作部４内には前記Ｃ−ＭＯＳ２４に供給する電源の安定化を図る定電圧回路４２や、前記電池４１と前記照明部２２とを接続する照明用ケーブル３２の中途部に位置して前記照明部２２に供給する電流値を所定の値に制限する電流制限回路４３が設けられている。
【００２９】
また、前記操作部４の例えば端部には前記Ｃ−ＭＯＳ２４から出力された映像信号を表示装置１２に伝送するビデオケーブル１１が着脱自在に接続される映像出力端子部４５が設けられており、この映像出力端子部４５に前記信号伝送ケーブル３３が抵抗４４を介して電気的に接続されている。
【００３０】
なお、符号３６ａは前記撮像アダプタ２ｂに設けられているアダプタ側第２ＬＥＤ接続部２６ａに電気的に接続される挿入部側第２ＬＥＤ接続部であり、符号３４は挿入部側第２ＬＥＤ接続部３６ａと電池４１とを電気的に接続して前記撮像アダプタ２ｂの照明部２２Ａを構成する照明用ＬＥＤに照明用電源を供給する照明用ケーブルである。
【００３１】
この構成によって、図５に示すように前記挿入部３の先端面に撮像アダプタ２ｂを連結固定したとき、この撮像アダプタ２ｂに設けられている照明部２２Ａの図示しない照明用ＬＥＤに、照明用ケーブル３４、挿入部側第２ＬＥＤ接続部３６ａ、アダプタ側第２ＬＥＤ接続部２６ａを介して電池４１から電流制限回路４２を通すことなく照明用電源が供給される。つまり、本図に示した電池４１では、撮像アダプタ２ｂに設けられている照明部２２Ａに最適な値の電流が供給されるように設定されている。このため、撮像アダプタ２ａが挿入部３の先端面に設けられた場合には電流値を制限するため、電流制限回路４２を通して照明用電源を照明部２２に供給する。このように、撮像アダプタ毎に供給回路を変えることによって、撮像アダプタ２ａを装着した際、照明部２２に過剰電流が流れることを防止している。
【００３２】
なお、前記撮像アダプタ２ｃも前記挿入部３に接続可能にするには、図６に示すように挿入部３の先端面にさらに前記センタリングデバイス２８に設けたアダプタ側第３ＬＥＤ接続部２６ｂに電気的に接続される挿入部側第３ＬＥＤ接続部３６ｂを設けておく。このことによって、撮像アダプタ２ｃの照明部２２Ａ及び２２Ｂに照明用電源が供給されて広範な範囲を明るく照射する。そして、この場合には、操作部４内を挿通するそれぞれの照明用ケーブル３２，３４，３５にそれぞれ第１、第２，第３電流制限回路４２ａ，４２ｂ，４２ｃを設けて照明部２２Ａ，２２Ｂ及び照明部２２に過剰電流が流れることを防止している。
【００３３】
そして、照明用ＬＥＤの発熱が観察に悪影響を与えない場合やセンタリングデバイス２８によって十分な放熱が確認されている場合には図７に示すように操作部４の簡素化を図る目的で、センタリングデバイス２８側の余裕スペースに電流制限回路４２ｃを設けるようにしてもよい。
【００３４】
上述のように構成した内視鏡１０の作用を説明する。  
まず、使用者は、観察対象の配管の径寸法及び検査目的に応じて、所望の画素数及び画素構成のＣ−ＭＯＳ２４や照明部２２が内蔵されている撮像アダプタ２を選択し、挿入部３に装着する。また、ビデオケーブル１１を表示装置１２及び映像出力端子部４５に接続する。
【００３５】
次に、操作部４に設けられているスイッチ（不図示）を操作して、Ｃ−ＭＯＳ２４及び照明部２２に電源を供給する。すると、表示装置１２に前記Ｃ−ＭＯＳ２４で画像処理されて出力された映像信号が伝送され、画面上に前記照明部２２によって照らされた観察部位の内視鏡画像が表示されて観察等を行える。
【００３６】
ここで、内視鏡画像を観察した際、所望した画像を得られなかった場合には、適宜撮像アダプタ２を交換して観察を行う。
【００３７】
また、電子内視鏡１０の挿入部長が短いことによって、撮像ユニット２ａが目的観察部位まで到達できない場合には、前記挿入部延長部材１５を取り付けて観察を行う。
【００３８】
前記挿入部延長部材１５は、図８に示すように両端部にそれぞれ前記アダプタ側Ｃ−ＭＯＳ接続部２７，アダプタ側第１ＬＥＤ接続部２６，アダプタ側第２ＬＥＤ接続部２６ａ，アダプタ側第３ＬＥＤ接続部２６ｂ及び挿入部側Ｃ−ＭＯＳ接続部３７，挿入部側第１ＬＥＤ接続部３６，挿入部側第２ＬＥＤ接続部３６ａ，挿入部側第３ＬＥＤ接続部３６ｂに電気的に接続する電気接続部として延長用Ｃ−ＭＯＳ接続部１７，延長用ＬＥＤ接続部１６，延長用第２ＬＥＤ接続部１６ａ，延長用第３ＬＥＤ接続部１６ｂが設けられている。そして、各接続部どうしはそれぞれ対応する電気ケーブルである駆動ケーブル３１ａ、照明用ケーブル３２ａ、３４ａ、３５ａ、信号伝送ケーブル３３ａによって電気的に接続されている。
【００３９】
つまり、前記撮像アダプタ２ａと挿入部３との間に挿入部延長部材１５を連結固定した際、挿入部延長部材１５の一端部側の延長用Ｃ−ＭＯＳ接続部１７，延長用第１ＬＥＤ接続部１６，延長用第２ＬＥＤ接続部１６ａ，延長用第３ＬＥＤ接続部１６ｂと撮像アダプタ２ａのアダプタ側Ｃ−ＭＯＳ接続部２７，アダプタ側第１ＬＥＤ接続部２６，アダプタ側第２ＬＥＤ接続部２６ａ，アダプタ側第３ＬＥＤ接続部２６ｂとが電気的に接続される一方、他端部側の延長用Ｃ−ＭＯＳ接続部１７，延長用第１ＬＥＤ接続部１６，延長用第２ＬＥＤ接続部１６ａ，延長用第３ＬＥＤ接続部１６ｂと挿入部側Ｃ−ＭＯＳ接続部３７，挿入部側第１ＬＥＤ接続部３６，挿入部側第２ＬＥＤ接続部３６ａ，挿入部側第３ＬＥＤ接続部３６ｂとが電気的に接続される。このことによって、前記Ｃ−ＭＯＳ２４及び照明部２２，２２Ａ，２２Ｂへの電源の供給及びＣ−ＭＯＳ２４から出力される映像信号の映像出力端部４５までの伝送が可能な、挿入部長を挿入部延長部材１５分だけ延長させた電子内視鏡１０が構成される。
【００４０】
なお、長さの異なる挿入部延長部材を複数も用意するようにしてもよい。また、前記挿入部延長部材１５を取り付けるための着脱部を、できるだけ操作部側に設けておくことにより、作業中に挿入部長さの変更を行うことが可能になる。
【００４１】
このように、映像信号を出力する構造の撮像素子及びこの撮像素子の特性に合わせた光源部を設けた撮像アダプタを、挿入部の先端部に着脱自在に設けて電子内視鏡を構成したことによって、画素数や画素構成の変更のみならず挿入部長の長さ変化等に関わらず、常に、表示装置の画面上に良好な内視鏡画像を表示させること画できる。
【００４２】
また、検査対象部位及び観察目的に応じて、自由に使用者が挿入部長の設定や、取り付ける撮像アダプタの選択を行って、使用者の所望する内視鏡画像を、関係者の手を煩わすこと無く得て良好な観察を容易に行うことができる。
【００４３】
さらに、撮像素子及び照明用ＬＥＤの電源を操作部に設けた電池としたことにより、携帯性に優れた内視鏡を提供することができる。
【００４４】
さらに、電流制限回路を操作部に設ける構成にしたことによって、撮像アダプタから電源制限回路を省いて撮像アダプタの小型化及び細径化を図ることができるとともに、撮像アダプタに過剰電流が流れて発熱することを確実に防止することができる。
【００４５】
なお、本実施形態で内視鏡を工業用内視鏡として説明したが、内視鏡は工業用の内視鏡に限定されるものではなく、医療用の内視鏡にこの構成を適用するようにしてもよい。また、前記電源部を電池としているが電源部は電池に限定されるものではなく、外部電源等であってもよい。電源を外部電源とする場合には、外部電源側で電流値を制御することによって操作部の構成の更なる簡略化を図ることができる。さらに、表示手段はＣＲＴモニタに限定されるものではなく、外部装置としての液晶モニタや操作部の基端部に一体的に設ける液晶モニタ等であってもよい。又、撮像ユニットに設ける対物レンズ及び照明部を先端面ではなく側面部等に設ける構成であってもよい。
【００４６】
尚、本発明は、以上述べた実施形態のみに限定されるものではなく、発明の要旨を逸脱しない範囲で種々変形実施可能である。
【００４７】
［付記］
以上詳述したような本発明の上記実施形態によれば、以下の如き構成を得ることができる。
【００４８】
（１）  少なくとも撮像素子としてＣ−ＭＯＳイメージセンサを備え、照明部として照明用ＬＥＤを備えた撮像アダプタと、
この撮像アダプタが先端部に着脱自在で、前記Ｃ−ＭＯＳイメージセンサ及び前記照明用ＬＥＤにそれぞれ接続する電気ケーブルを内挿した挿入部と、
この挿入部の基端部に配置され、少なくとも前記Ｃ−ＭＯＳイメージセンサから出力された映像信号を表示手段に出力するための映像出力端子部及び前記照明用ＬＥＤに供給する電流値を制限するための電流制限回路を備えた操作部と、
を具備する電子内視鏡。
【００４９】
（２）前記Ｃ−ＭＯＳイメージセンサの画素数又は画素サイズが異なる複数種類の撮像アダプタを有し、この撮像アダプタは前記挿入部の先端部に着脱自在である付記１記載の電子内視鏡。
【００５０】
（３）照明部の構成が異なる複数種類の撮像アダプタを有し、この撮像アダプタは前記挿入部の先端部に着脱自在である付記１又は付記２記載の電子内視鏡。
【００５１】
（４）前記撮像アダプタの外面に、前記Ｃ−ＭＯＳイメージセンサ及び前記照明部を構成する照明用ＬＥＤにそれぞれ電源を供給するための電気的に導通するアダプタ側Ｃ−ＭＯＳ接続部及びアダプタ側ＬＥＤ接続部を設けた付記２又は付記３記載の電子内視鏡。
【００５２】
（５）前記撮像アダプタの外面に設けるアダプタ側ＬＥＤ接続部の設置位置は、照明部の構成によってそれぞれ異なる付記４記載の内視鏡装置。
【００５３】
（６）前記挿入部の外面に、前記アダプタ側Ｃ−ＭＯＳ接続部及びアダプタ側ＬＥＤ接続部にそれぞれ接触する挿入部側Ｃ−ＭＯＳ接続部及び挿入部側ＬＥＤ接続部を設けた付記４記載の内視鏡装置。
【００５４】
（７）前記挿入部の外面に、複数種類の撮像アダプタに設けられているアダプタ側ＬＥＤ接続部のそれぞれの設置位置に対応する複数の挿入部側ＬＥＤ接続部を設けた付記５又は付記６記載の内視鏡装置。
【００５５】
（８）前記操作部に前記Ｃ−ＭＯＳイメージセンサ及び照明用ＬＥＤの電源として電池を設けた付記１記載の内視鏡装置。
【００５６】
（９）前記撮像アダプタと前記挿入部とを電気的に接続して、挿入部長を延長させる挿入部延長部材を有する付記１記載の内視鏡装置。
【図面の簡単な説明】
【００５７】
【図１】図１ないし図７は本発明の一実施形態に係り、図１は          本発明の電子内視鏡を備えた電子内視鏡装置の構成を説明する図
【図２】撮像アダプタの各種構成例を説明する図
【図３】電子内視鏡の構成例を説明する図
【図４】電子内視鏡の構成を説明するブロック図
【図５】電子内視鏡の他の構成例を説明する図
【図６】電子内視鏡の別の構成例を説明する図
【図７】電子内視鏡のまた他の構成例を説明する図
【図８】図３で示した電子内視鏡の挿入部長を延長させたときの構成例を説明する図
【符号の説明】
【００５８】
２ａ…撮像ユニット  
３…挿入部
４…操作部
１０…電子内視鏡
２２…照明部  
２２ａ…照明用ＬＥＤ  
２４…Ｃ−ＭＯＳイメージセンサ
２７…アダプタ側Ｃ−ＭＯＳ接続部  
３１…駆動ケーブル  
３２…照明用ケーブル
３３…信号伝送ケーブル
３７…挿入部側Ｃ−ＭＯＳ接続部  
４１…電池
４３…電流制限回路
４５…映像出力端部
代理人  弁理士    伊藤  進
【図１】
2005066356.tif 000003
【図２】
2005066356.tif 000004
【図３】
2005066356.tif 000005
【図４】
2005066356.tif 000006
【図５】
2005066356.tif 000007
【図６】
2005066356.tif 000008
【図７】
2005066356.tif 000009
【図８】
2005066356.tif 000010